(57)【特許請求の範囲】
【請求項１】
車両用ドアの窓枠に取り付けられるガ−ニッシュであって、
ガラスランチャンネルが収納される収納溝部を有するとともに該溝部の一方の側面であってドア外面側に向いた外面部を有する窓枠部に対して、
該ガ−ニッシュは、該外面部全体を覆うように形成された合成樹脂製からなり、
該ガ−ニッシュは、短冊状の平面形状からなる短冊状部を備え、
該短冊状部の幅方向両端末部に折返し部を有し、該短冊状部の幅方向端末部の少なくとも一方では、複数の該折り返し部が部分的に形成されており、
該折返し部と短冊状部の両端部との間に、該窓枠部の該外面部の幅方向両端末部が挿入される挿入溝を形成し、
該ガーニッシュの該短冊状部に、該外面部に係合する係合部を備え、
該ガーニッシュの該短冊状部の少なくとも一方の幅方向端末部に、薄片部を備えていることを特徴とするガーニッシュ。
【請求項２】
請求項１において、
該ガーニッシュの該短冊状部は、一方の端末部側が他方の端末部側よりも薄肉な薄肉部で形成されていることを特徴とするガーニッシュ。
【請求項３】
請求項１又は２のガーニッシュを取り付けた車両用ドアであって、
該ドアは、インナーパネルとアウターパネルとを組み合わせたドア本体部を備え、
該窓枠部が、上記インナーパネルに一体にプレス成形されていることを特徴とする車両用ドア。
【請求項４】
請求項３において、
該窓枠部の該外面部の幅方向両端末部の少なくとも一方の端末部には、該ガーニッシュの該挿入溝内で係止する係止部が一体に形成されていることを特徴とする車両用ドア。
【請求項５】
請求項３又は４において、
該窓枠部は、前辺部、上辺部及び後辺部からなり、
該ガーニッシュは該後辺部に形成された外面部に被さるように設けられていることを特徴とする車両用ドア。
【請求項６】
請求項５において、
該収納溝部は、外片部、内片部、底片部を備えた断面略コ字状からなり、
該後辺部は、該収納溝部の該内片部及び該底片部の後方側に配設された略Ｊ状断面の本体部と、該本体部の後端部から車両後方に伸びた延長部を備え、
該外片部と該延長部とで該窓枠部の外面部を構成しており、
該挿入溝の一方には該外片部が挿入され、他方には該延長部が挿入されるようになっていることを特徴とする車両用ドア。
【請求項７】
請求項３〜６のいずれか１つにおいて、
該ガラスランチャンネルには、該ガーニッシュの該折返し部に保持されるリップ部が形成されていることを特徴とする車両用ドア。
【発明の詳細な説明】
【技術分野】
【０００１】
本発明は、車両用ドアの窓枠に取り付けられるガーニッシュ及びこのガーニッシュを取り付けたドア構造に関するものである。
【背景技術】
【０００２】
従来の車両用ドアの窓枠は、Ａピラーに沿うように配置されるＡピラーサッシュ部と、Ａピラーサッシュ部に連続してルーフパネルのドア開口面に沿うように形成されるルーフ側サッシュ部と、Ｂピラー等に沿うように形成される縦サッシュ部とからなるものが知られている。そして、例えば縦サッシュ部のドア外板面の表面側に、インジェクション成形手段等により形成されたガーニッシュが取り付けられるものも見受けられる。
【０００３】
これらの窓枠に対して、熱可塑性プラスチック材からなる薄膜状のシートを真空引き手段を用いてドアサッシュの表面に巻き付けるように取り付け、これによって、窓枠コーナ部等における薄膜シートの密着性を向上させ、車両用窓枠としての見映えを向上させるようにしているものが知られている（例えば、特許文献１）。
【０００４】
しかし、上記特許文献１に示すものでは、ガーニッシュを窓枠に取り付けるためのボス部等をガーニッシュの裏面側に設けるようになっている。そのために、ボス部等を有する部分の表面側には、インジェクション成形時において、いわゆる「ひけ」が生じ、その結果、ガーニッシュの意匠面の見映えが損なわれ、窓枠としての外観体裁を悪くすると言う問題がある。更に、ガーニッシュ自体の厚さが厚肉となり、ガラス窓との段差が大きくなり、フラッシュサーフィス化の観点からは問題視されている。
【０００５】
この従来技術を解決するものとして、窓枠の外面部側に、合成樹脂製成形品からなる装飾用のガーニッシュを特別な取り付け手段を用いずに取り付けるようにした車両用窓枠が知られている（例えば、特許文献２）。
【特許文献１】特開２００３−１１２２２号公報
【特許文献２】特開２００７−３０２１８６号公報
【発明の開示】
【発明が解決しようとする課題】
【０００６】
特許文献２では、合成樹脂製のガーニッシュが、サッシュアセンブリの縦サッシュ部材のフランジ部全体を覆うように形成された短冊状の平面形態からなり、短冊状部材の幅方向両端末部に巻込み部を有し、ガーニッシュの幅方向両端末部に形成された巻込み部を、フランジ部の幅方向両端末部のところに係合させる構成が開示されている。
【０００７】
この構成によれば、ドアサッシュアセンブリのフランジ部側に、合成樹脂製成形品からなる装飾用のガーニッシュを特別な取付け手段を用いずに取り付けることができるメリットを有する。
【０００８】
しかし、特許文献２では、サッシュサッシュアセンブリをロール成形しており、かなり複雑な工程で形成されている。特に、一般的なロール成形では、枠部の全体を同じ断面形状にすることが行われているが、この特許文献２では、ロール成形でありつつフランジ部を下方になるにつれて幅広にするようにしており、複雑な工程を経た特殊なロール成形方法となっていると言える。
【０００９】
また、ガーニッシュの巻込み部を縦サッシュ部材のフランジ部の幅方向両端末部のところに係合させるが、上方から無理矢理嵌め込んで押し込む際に、巻込み部を無理矢理ねじるように弾性変形させて押し込む必要がある。そのために、巻込み部はできるだけ柔軟性を備えることが好ましいが、柔軟性に優れると嵌め込んだ後、巻込み部と縦サッシュ部材のフランジ部との密着性が劣り、シール性が不足する或いはガタツキが生じるなどの不具合を生じる。
【００１０】
一方、巻込み部の柔軟性を少なくすると、押し込む際にかなり無理をしてガーニッシュをねじる必要があり、作業性に劣り、あまり無理をすると、ガーニッシュが損傷する可能性がある。この特許文献２では、巻込み部の内側に凸起部を形成しているが、この凸起部があるために、ガーニッシュはねじりにくくなっており、嵌め込む際の作業性に劣る。
【００１１】
本発明は、特許文献２が有する不具合を解消することを目的とするものであって、合成樹脂製のガーニッシュを特別な係合手段を用いることなく、簡単に窓枠部の外面部に嵌め込むことができるガーニッシュ構造及びそのガーニッシュを嵌め込んだ自動車用ドアを提供することを目的とする。
【課題を解決するための手段】
【００１２】
上記目的を達成するために、請求項１の発明では、車両用ドアの窓枠に取り付けられるガ−ニッシュであって、ガラスランチャンネルが収納される収納溝部を有するとともに該溝部の一方の側面であってドア外面側に向いた外面部を有する窓枠部に対して、該ガ−ニッシュは、該外面部全体を覆うように形成された合成樹脂製からなり、該ガ−ニッシュは、短冊状の平面形状からなる短冊状部を備え、該短冊状部の幅方向両端末部に折返し部を有し、該短冊状部の幅方向端末部の少なくとも一方では、複数の該折り返し部が部分的に形成されており、該折返し部と短冊状部の両端部との間に、該窓枠部の該外面部の幅方向両端末部が挿入される挿入溝を形成し、該ガーニッシュの該短冊状部に、該外面部に係合する係合部を備え、該ガーニッシュの該短冊状部の少なくとも一方の幅方向端末部に、薄片部を備えていることを特徴とする。
【００１３】
請求項２の発明では、請求項１において、該ガーニッシュの該短冊状部は、一方の端末部側が他方の端末部側よりも薄肉な薄肉部で形成されていることを特徴とする。
【００１４】
請求項３の発明は、請求項１又は２のガーニッシュを取り付けた車両用ドアであって、該ドアは、インナーパネルとアウターパネルとを組み合わせたドア本体部を備え、該窓枠部が、上記インナーパネルに一体にプレス成形されていることを特徴とする。
【００１５】
請求項４の発明では、請求項３において、該窓枠部の該外面部の幅方向両端末部の少なくとも一方の端末部には、該ガーニッシュの該挿入溝内で係止する係止部が一体に形成されていることを特徴とする。
【００１６】
請求項５の発明では、請求項３又は４において、該窓枠部は、前辺部、上辺部及び後辺部からなり、該ガーニッシュは該後辺部に形成された外面部に被さるように設けられていることを特徴とする。
【００１７】
請求項６の発明では、請求項５において、該収納溝部は、外片部、内片部、底片部を備えた断面略コ字状からなり、該後辺部は、該収納溝部の該内片部及び該底片部の後方側に配設された略Ｊ状断面の本体部と、該本体部の後端部から車両後方に伸びた延長部を備え、該外片部と該延長部とで該窓枠部の外面部を構成しており、該挿入溝の一方には該外片部が挿入され、他方には該延長部が挿入されるようになっていることを特徴とする。
【００１８】
請求項７の発明では、請求項３〜６のいずれか１つにおいて、該ガラスランチャンネルには、該ガーニッシュの該折返し部に保持されるリップ部が形成されていることを特徴とする。
【発明の効果】
【００１９】
請求項１の発明によれば、窓枠部の外面部にガーニッシュを取り付けた際に、窓枠部の外面部にガーニッシュを簡単に取り付けることができるとともに、両者間のガタツキや抜け方向の動きを確実に防止できる。また、薄片部により、見映えを良くできる。また、薄片部と折返し部でシールできるので、シール性が向上する。
【００２０】
請求項２の発明によれば、確実且つ容易にガーニッシュを窓枠部の外面部に嵌め込むことができる。作業者によるバラツキもなく誰でも容易に取り付け作業を行える。
【００２１】
請求項３の発明によれば、ドア本体部のインナーパネルに窓枠部を一体成形したので、該インナーパネルの成形時に窓枠部をプレス成形することができ、製造工数を削減できる。窓枠部をプレス成形品としたので、窓枠部の各部位の断面形状を容易に変えることができ、窓枠部の外面部に取り付けるガーニッシュとの係合構造への自由度が高く、簡単で且つ確実に両者を係合できる。
【００２２】
請求項４の発明によれば、窓枠部の外面部とガーニッシュとのガタツキを確実に防止できる。特に、窓枠部の外面部をプレス成形した際には、係止部をプレス成型時に簡単に成形できる。また、係止部の形状や位置・大きさも自由度が高く、確実な係止部を簡単に得ることができる。
【００２３】
請求項５の発明によれば、自動車用ドアの所謂Ｂピラー部を装飾するガーニッシュを簡単に得ることができる。
【００２４】
請求項６の発明によれば、ドアガラスの昇降構造の剛性を確保しながら、簡単な構造で確実にガーニッシュを取り付けることができる。
【００２５】
請求項７の発明によれば、リップ部が、折返し部（先端部を含む）に接触する構成であり、ガーニッシュとガラスランチャンネルとのシール性を十分に確保できる。
【発明を実施するための最良の形態】
【００２６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２７】
（実施形態１）
図１は、本発明の実施形態１に係る車両用ドアを車室側から見た側面図である。図２は、車両用ドアを車外側から見た側面図であって、ドア本体の構成を説明する図である。なお、図１は右側ドアで、図２は左側ドアであり、同じドアの車室内側と車外側の図でないが、左右どちら側のドアも基本的に同じである。以下本発明の実施形態の説明では、車両前側を単に「前」といい、車両後側を単に「後」というものとする。
【００２８】
この車両用ドア１は、乗用自動車（図示せず）の側部における車両前側に配設される前部用ドアであり、ドア本体部２と、ドア本体部２の上端部に設けられた窓を構成する窓枠部３と、昇降するガラス４とを備えている。ガラス４は、前側のガラスガイド５、後側のガラスガイド６に案内されて昇降するようになっている。
【００２９】
ドア本体部２は、ドア本体部２の車外側を構成するアウターパネル１０と、車室側を構成するインナーパネル１１とを有している。アウターパネル１０及びインナーパネル１１は、鋼板をプレス成形してなるプレス成形品である。図２に示すように、アウターパネル１０は、ベルトラインより下方のみで構成され、上下方向の中間部が車外側へ向けて膨らむように形成されており、インナーパネル１１は、アウターパネル１０に対応してベルトラインより下方の部分と、窓枠部３とが一体にプレス成形されて形成されている。つまり、窓枠部３は、インナーパネル１１の成形時に一緒に成形されたプレス成形品である。窓枠部３は、ドア本体部２の前部から上方及び後方に向けて斜めに延びる前辺部３０と、前辺部３０の上端部から後側へ向けて延びる上辺部３１と、上辺部３１の後端部から下方へ向けてドア本体部２の後部まで延びる後辺部３２とで構成されている。
【００３０】
ドア本体部２の前端部には、上下方向に延びる回転軸を有する一対のヒンジ１２，１２が上下方向に間隔をあけて設けられている。また、ドア本体部２の後端部には、車体側の係合部材（図示せず）に係脱するラッチ機構（図示せず）が設けられている。ドア本体部１は、ヒンジ１２，１２を介して車体に固定された状態で、ヒンジ１２，１２の回転軸周りに回動して開閉動作し、閉状態では、ラッチ機構が車体側の係合部材に係合して閉状態が保持されるようになっている。
【００３１】
インナーパネル１１とアウターパネル１０との間には、ドア袋部１３が形成されている。ドア袋部１３には、前後方向に延びる補強部材１４が配置されている。この補強部材１４の前端部がドア本体部２の前部に固定され、後端部がドア本体部２の後部に固定されている。
【００３２】
図３は、図１のＡ−Ａ断面に相当しており、それにガーニッシュやリヤ側部品との関連を説明する説明図である。窓枠部３の後辺部３２は、断面略Ｊ字状の本体部３２１と、本体部３２１の後端部から後方に伸びた延長部３２２を有する。ガラスランチャンネル８が収容されるガラスガイド６は、底片部６１、外片部６２、内片部６３を備えた断面略コ字状からなり、後辺部３２の本体部３２１の前方側に配設されている。後辺部３２の本体部３２１とガラスガイド６との間には、レインフォースメント７が配設されている。レインフォースメント７は、後辺部３２より一回り小さい断面略Ｊ字状の本体部７１と、本体部７１の後端部から後方に伸びた延長部７２を有する。この延長部７２は、後辺部３２の延長部３２２の外側に重ねられて、溶接等で固定されている。ガラスガイド６の内片部６３の先端部外側（車両内側）には、レインフォースメント７の先端部７３、後辺部３２の先端部３２３が重ねられて、溶接等で固定されている。レインフォースメント７の本体部７１とガラスガイド６の底片部６１とが重ねられて、溶接等で固定されている。ガラスガイド６の外片部６２、レインフォースメント７の延長部７２及び後辺部３２の延長部３２２とがほぼ平面部を形成し、車体外方向に面した外面部３３を構成している。
【００３３】
図１に示すように、レインフォースメント７は、後辺部３２の高さ方向途中から、ドア本体部２の後端部に設けられたラッチ機構（図示せず）の位置まで、ガラスガイド６は後辺部３２の高さ方向上部からドア本体部２の途中（ガラス４の移動範囲）まで、設けられている。
【００３４】
後辺部３２は、図１に示すように、その本体部３２１の形状が、上辺部３１との接合部を基点にして下方へ向って末拡がり状に本体部３２１の幅が拡がるようになっている。すなわち、上方部における本体部３２１よりも、下方部における本体部３２１の方が、その幅の値が大きく（広く）なるようになっているものである。
【００３５】
図３に示すように、ガラスガイド６の外片部６２、レインフォースメント７の延長部７２及び後辺部３２の延長部３２２からなる外面部３３の外側に、合成樹脂製のガーニッシュ２０が取り付けられるようになっている。ガーニッシュ２０の詳細は後で説明するが、ガーニッシュ２０は、意匠性を備えた平面形状の本体部２１を備える。この本体部２１の後端部２２には、内側方向に折り曲げられた折曲げ部２３が形成され、先端部２４には、内側方向に折り曲げられた折曲げ部２５が形成されている。この折曲げ部２３と折曲げ部２５に形成された挿入溝２６に、それぞれ後辺部３２の延長部３２２とガラスガイド６の外片部６２が挿入されるようになっている。
【００３６】
また、後辺部３２の延長部３２２には、挿入溝２６との密着性を向上するために、部分的に切り起こして形成した係止部３５が一体に形成されている。インナーパネル１１と共に一体にプレス成形されるので、係止部３５を容易に作成できる。
【００３７】
図４に示すように、窓枠部３の上辺部３１は、断面略Ｊ字状に形成された本体部３１１と、外端部３１２と、内端部３１３からなる。上辺部３１の本体部３１１、ガラスガイド６の底片部６１、ウェザーストリップ保持用のリテーナ部３６が溶接等で一体に固定されている。ガラスガイド６の外片部６２と上辺部３１の延長部３１２の外側に装飾モール３７が取付けられている。
【００３８】
次に、ガーニッシュ２０について、図５〜図１０に基づいて説明する。ガーニッシュ２０は、熱可塑性合成樹脂製成形品からなり、その平面形状は、図５に示すような短冊状の形態からなっている。その本体部２１は、図５に示すように、意匠面を形成する平面形状であって、下方になるに従って末広がりになっており、窓枠部３の外面部３３の形状と同様な形状になっている。本体部２１の肉厚は、前側が薄肉部２１１で、後側が厚肉部２１２となっており、薄肉部２１１と厚肉部２１２とが傾斜部２１３で連結されている。ガーニッシュ２０の挿入溝２６，２６に後辺部３２の延長部３２２とガラスガイド６の外片部６２を挿入して、本体部２１を外面部３３に押し当てながら上方から押し込んでいく際に、弾性変形し易くするために薄肉部２１１が設けられている。また、薄肉部２１１とすることで、ガラス４との段差を少なくでき、フラッシュサーフェス化に寄与できる点もメリットでなっている。
【００３９】
また、図３に示すように、ガーニッシュ２０の先端部２４或いは折返し部２５の端部に、ガラスランチャンネル８のリップ部８ａが接触するようになっているので、シール性に優れる。さらに、ガラス４の表面とガーニッシュ２０の外面との段差が少なくて良いので、フラッシュサーフェス化に優れる。
【００４０】
後端部２２の折返し部２３は、ほぼ同じ大きさで、上端部から下端部まで伸びて設けられている。後端部２２の先には、薄片部２８が設けられている。この薄片部２８は、図３に示すように、シール部材４１に近い側が薄肉で、折返し部２３に向かって徐々に傾斜して形成されている。シール部材４１が確実に薄片部２８に接触してシールされるので、シール性を向上すると共に、車両用ドア１を開いた際に端縁部が薄く見えることで、見映えが良くなる。このように薄片部２８が徐々に薄肉になるように傾斜した面で形成されているので、ガーニッシュ２０の表面側に厚さの変化による線のようなものが出る可能性がなく、表面の見映え性が向上すると共に成形の自由度が増加する。
【００４１】
先端部２４に形成される折返し部２５は、部分的に複数で形成され、外面部３３に上から被せて挿入する際に、弾性変形して挿入し易くなっている。なお、先端部２４の上端部には、折返し部２５が形成されない端縁部２４１が設けられている。この端縁部２４１には、窓枠部３の上辺部３１に被せられるモール３７の後端部が嵌められ接合されるようになっている。また、下端部２９は、開放された形状となっており、後述するガーニッシュ２０を外面部３３に装着する（取り付ける）場合に、この下端部２９が利用されるようになっている。
【００４２】
図５、図７及び図８に示すように、ガーニッシュ２０の本体部２１の下方部分には、螺合用のメネジ部が形成された係合部２７が一体に形成されている。係合部２７にネジ部材４２で後辺部３２が一体に取り付けられることで、ガーニッシュ２０を外面部３３に取付けた後、ガーニッシュ２０のガタツキが防止され、且つ上方に抜ける方向に移動することが防止されるようになっている。更に、ガーニッシュ２０の下端部は、図９に示すように、アウタパネル１０の上端部を覆うように設けられた水切りアウターモール４５で隠されるように被されている。
【００４３】
次に、ガーニッシュ２０を外面部３３に取り付ける取付方法（手順）について説明する。まず、末拡がり状に幅が拡がるように形成されたガーニッシュ２０の下端部２９を、窓枠部３の上辺部３１との接合部近辺で、外面部３３の上方部表面に接触させるようにする。そして、このとき、挿入溝２６に、後辺部３２の延長部３２２及びガラスガイド６の外片部６２が挿入される位置に一致した状態にする。
【００４４】
このような状態において、ガーニッシュ２０全体を、ガーニッシュ２０の本体部２１の裏面側が外面部３３の表面側に接触した状態にしておいて、相対的に滑らせながら押下げる。その結果、最初のうちは外面部３３の幅よりも広い状態におかれていたガーニッシュ２０の両挿入溝２６，２６間の距離が徐々に外面部３３における距離（後辺部３２の延長部３２２とガラスガイド６の外片部６２との距離）に合致するようになり、上記両挿入溝２６，２６に、それぞれ後辺部３２の延長部３２２とガラスガイド６の外片部６２とが挿入されて係合するようになる。
【００４５】
この時に、図１０に示すように、ガーニッシュ２０の前側が薄肉部２１１となって、弾性変形し易くなっているので、外面部３３を構成する外片部６２の端部を乗り越えるように折返し部２５を外片部６２の内側に入れ込み、その結果、ガーニッシュ２０の挿入溝２６に外片部６２が挿入された状態に容易にすることができる。そして、最終的には、ガーニッシュ２０の最上端部が上辺部３１の端末部近辺に係合するようになり、ガーニッシュ２０はそれ以上下方へは押下げることができないようになる。
【００４６】
一方、この状態においては、ガーニッシュ２０の両端末部に形成された挿入溝２６，２６には、それぞれ後辺部３２の延長部３２２とガラスガイド６の外片部６２とが挿入されて係合するようになる。また、このとき、薄片部２８に上辺部３１の後端部が嵌り込んだ状態となり、ガーニッシュ２０は完全に外面部３３に取付けられた（装着された）状態となる。
【００４７】
なお、このような状態において、ガーニッシュ２０と外面部３３と成形時の湾曲率の差異や使用中の熱膨張差等により、両者間に隙間ができるが、係合部２７でガーニッシュ２０を窓枠部３の後辺部３２に係合しているので、ガタツキが生じたり、ビビリ音が発生することを防止できる。
【００４８】
また、ガーニッシュ２０を平板材を基礎に形成させるようにしたので、ガーニッシュ２０の製造コストの低減化を図ることができるようになった。また、このように平板状部材を基礎に形成されるガーニッシュ２０を外辺部３３に嵌め込むようにして窓枠部３に取付けるようにしたので、取付構造が簡単な構成からなるようにしたと共に、特別なクリップやファスナ等を用いなくとも良いようになり、取付作業の効率化を図ることができるようになった。更に、ガラスとガーニッシュとの段差が少なくでき、フラッシュサーフェス化を向上できた。
【００４９】
以上説明したように、この実施形態に係る車両用ドア１によれば、窓枠部３をプレス成形品としたことで、窓枠部３の周方向について断面形状を容易に変えることができる。これにより、窓枠部３の断面形状を、高い剛性が必要な後辺部３２の下部と、それほどの剛性が必要でない上辺部３１及び前辺部３０とで、各々に適した形状とすることが可能になり、窓枠部３の無用な重量増を回避しながら、各部位の剛性を最適化することができる。
【００５０】
また、インナーパネル１１に窓枠部３を一体成形しているので、インナーパネル１０の成形時に窓枠部３をプレス成形することができ、製造工数を削減できる。さらに、ガーニッシュ２０の挿入溝２６に係止される係止部３５は、プレス時に一体に成形できるので、製造工数を削減できるとともに、任意の係合形状を、大きさで簡単に成形できる。
【００５１】
（実施形態２）
実施形態２について、図１１に基づいて説明する。実施形態２では、実施形態１と異なる部分のみ説明し、同じ部分の説明は省略する。
【００５２】
実施形態２では、実施形態１に対して、ガーニッシュ２０に一部の形状が異なっているだけである。即ち、ガーニッシュ２０の上端部にも折返し部２２５を設けて、ガーニッシュ２０の上端部も窓枠部３の外面部３３に係合するようにしたものである。これにより、ガーニッシュ２０の上端部と外面部３３との密着した状態をより改良することができる。さらに、ガーニッシュ２０の上端部の見映えも良くなる。
【００５３】
なお、実施形態２では、薄片部２８を無くして簡略化した構造であるが、実施形態１と同様に薄片部２８を後端部２２に設けても良い。
【００５４】
（実施形態３）
実施形態３について、図１２及び１３に基づいて説明する。実施形態３では、実施形態１と異なる部分のみ説明し、同じ部分の説明は省略する。
【００５５】
実施形態３では、実施形態１に対して、ガーニッシュ２０を後辺部３２に係止する構造の別の例を示す。即ち、ガーニッシュ２０の係止部２７１が、折返し部２３から延長して形成された延長部２３１から内側に向けて突出して略三角形断面で形成されている。この係止部２７１が係止されるために開口部３２２１が、後辺部３２の延長部３２２に形成されている。その結果、ガーニッシュ２０が、後辺部３２に被さられた状態では、係止部２７１が開口部３２２１に嵌り込むことによって、ガーニッシュ２０が外れる方向（上方）に移動することを防止できる。この構成では、ガーニッシュ２０の本体部２１に係止部を設けないので、ガーニッシュ成形時のヒケ等の心配をすること無くガーニッシュ２０を成形でき、成形の自由度が増加する。
【００５６】
なお、実施形態３では、薄片部２８を無くして簡略化した構造であるが、実施形態１と同様に薄片部２８を後端部２２に設けても良い。また、係止部２７１は、ガーニッシュが上方に抜けることを抑制する構造であれば良く、この位置、構造に限られるものではない。
【００５７】
（実施形態４）
実施形態４について、図１４に基づいて説明する。実施形態４では、実施形態１と異なる部分のみ説明し、同じ部分の説明は省略する。
【００５８】
実施形態４では、実施形態１に対して、ガーニッシュ２０を後辺部３２の先端に形成する薄片部の別の例を示す。即ち、薄片部２８１を所定厚さの薄肉に形成し、段差を設けている。この場合には、シール部材４１が２点で接触することができ、シール性を向上すると共に、車両用ドア１を開いた際に端縁部が薄く見えることで、見映えを良くしている。
【００５９】
なお、実施形態１や４では、ガーニッシュ２０の本体部２１は、薄肉部、厚肉部を設けた構造としているが、均一な厚さとしても良い。
【００６０】
実施形態１〜４は、それぞれの特徴を組み合わせて使用することも可能である。
【００６１】
上記実施形態において、薄肉部２１１は、上下方向にすべてであることは必要でなく、開放部２４１の周りだけでも良い。ガーニッシュ２０と後辺部とを係合する係合部２７，２７１の構造や位置は、上記実施形態に限られるものではない。
【００６２】
また、上記実施形態では、窓枠部の後辺部に嵌め込むガーニッシュに適用したが、これに限られるものではなく、上辺部や前辺部でも良い。
【００６３】
尚、上記実施形態では、窓枠部３をインナーパネル１１に一体成形するようにしているが、これに限らず、窓枠部３をインナーパネル１１とは別体のプレス成形品とし、インナーパネル１１に接合するようにしてもよい。
【００６４】
なお、上記実施形態では、窓枠部は、インナーパネル１１とともにプレス成形されるものであるが、ロール成形の窓枠にも適用することも可能である。
【産業上の利用可能性】
【００６５】
以上説明したように、本発明に係るガーニッシュは車両用ドアの外面部に用いることができ、このガ−ニッシュを使用するドアとしては、例えば、乗用自動車の前部ドア、後部ドア、ハッチバックドア等に適用することが可能である。
【図面の簡単な説明】
【００６６】
【図１】本発明の実施形態１に係る車両用ドアを車室内側から見た側面図である。
【図２】実施形態１に関わり、車両用ドアのインナーパネルとアウタ−パネルの状態を車室外側から見た側面図である。
【図３】図１のＡ−Ａ線における断面図である。
【図４】図１のＢ−Ｂ線における断面図である。
【図５】実施形態１に関わり、ガーニッシュを内側からみた図を示す。
【図６】図５のＩ−Ｉ線における断面図である。
【図７】図５のII−II線における断面図である。
【図８】実施形態１に関わり、ガーニッシュを係止する部分の構造を説明する部分断面図を示す。
【図９】実施形態１に関わり、ガーニッシュを装着した状態のガーニッシュの下端部の状態を説明する部分断面図を示す。
【図１０】実施形態１に関わり、ガーニッシュの薄肉部の弾性変形の状態を説明する説明図を示す。
【図１１】実施形態２に関わり、ガーニッシュの一部の斜視図を示す。
【図１２】実施形態３に関わり、係止部を説明する斜視図を示す。
【図１３】図１２の一部拡大断面図を示す。
【図１４】実施形態４に関わり、実施形態１の図３の一部に相当する断面図を示す。
【符号の説明】
【００６７】
１ 車両用ドア
２ ドア本体
３ サッシュ
４ ガラス（透光部材）
４ａ セラミック（遮光部）
１０ アウターパネル
１１ インナーパネル
３０ａ，３１ａ チャンネル部
４１ 接着剤
【図１】
0005243104.tif 000002
【図２】
0005243104.tif 000003
【図３】
0005243104.tif 000004
【図４】
0005243104.tif 000005
【図５】
0005243104.tif 000006
【図６】
0005243104.tif 000007
【図７】
0005243104.tif 000008
【図８】
0005243104.tif 000009
【図９】
0005243104.tif 000010
【図１０】
0005243104.tif 000011
【図１１】
0005243104.tif 000012
【図１２】
0005243104.tif 000013
【図１３】
0005243104.tif 000014
【図１４】
0005243104.tif 000015